(57)【要約】【課題】折り取ったカッター刃片の処理を安全に作業性よく行え、平場などのシート材の切断でカッター刃を外した切り口まで切断できて不良部の発生が防止でき、地ベラ本体の摩耗の程度が目視により認識できる。【解決手段】壁紙などのシート材を切断する際に定規代わりとする地ベラ本体２と、地ベラ本体を保持するための握り部３ｅとを備え、握り部が中空構造で、折り取ったカッター刃片Ａを中空空間３ｂに投入するスリット部３ｃが形成され、握り部に形成された中空空間に連通する穴部３ｄには着脱自在に蓋部材が取り付けられ、スリット部内側には中空空間内に投入されたカッター刃片がスリット部を通って漏出することを防止する漏出防止手段が形成され、地ベラ本体の先端縁２ａ近傍に地ベラ本体の幅方向の所定位置を明示するマーク部２ｂが形成され、マーク部は地ベラ本体に形成された細溝であることが好ましい。【選択図】図２
2008063893.tif 000002
【特許請求の範囲】
【請求項１】
壁紙などのシート材を切断する際に定規代わりとする地ベラ本体と、当該地ベラ本体が取り付けられる取付部及び前記地ベラ本体を保持するために握る握り部を有する握り部本体とを備えた地ベラにおいて、少なくとも前記握り部を中空構造とするとともに、前記握り部の中空空間に連通し折り取ったカッター刃片を投入するスリット部を前記取付部付近に形成したことを特徴とする地ベラ。
【請求項２】
前記握り部には前記中空空間に連通する穴部が形成され、当該穴部には着脱自在に蓋部材が取り付けられていることを特徴とする請求項１記載の地ベラ。
【請求項３】
前記スリット部の内側には、前記スリット部を通して前記中空空間内に投入されて貯留されたカッター刃片が前記中空空間内から前記スリット部を通って漏出することを防止する漏出防止手段が形成されていることを特徴とする請求項１記載の地ベラ。
【請求項４】
前記漏出防止手段が、前記スリット部の開口をほぼ覆うように取り付けられた板状部材であることを特徴とする請求項３記載の地ベラ。
【請求項５】
前記漏出防止手段が、前記スリット部の開口をそのブラシ部又は起毛部によりほぼ覆うように取り付けられたブラシ部材又は起毛部材であることを特徴とする請求項３記載の地ベラ。
【請求項６】
前記漏出防止手段が、前記カッター刃片が前記中空空間側から前記スリット部に侵入し難くする突起であることを特徴とする請求項３記載の地ベラ。
【請求項７】
前記漏出防止手段が、前記スリット部に連通しかつ前記カッター刃片が前記中空空間側から前記スリット部に侵入し難くする通路であることを特徴とする請求項３記載の地ベラ。
【請求項８】
前記漏出防止手段が、ヒンジ結合され前記スリット部の開口をほぼ覆うように揺動付勢された付勢部材であることを特徴とする請求項３記載の地ベラ。
【請求項９】
前記地ベラ本体の先端縁近傍に当該地ベラ本体の幅方向の所定位置を明示するマーク部が形成されていることを特徴とする地ベラ。
【請求項１０】
前記マーク部が、前記地ベラ本体に刻印や切削などの方法により形成された細溝であることを特徴とする請求項９記載の地ベラ。
【請求項１１】
前記細溝が前記地ベラ本体の先端縁にまで達しておらず前記地ベラ本体の先端縁と細溝先端との間に若干の隙間が形成されていることを特徴とする請求項１０記載の地ベラ。
【請求項１２】
前記細溝が前記地ベラ本体の先端縁にまで達して前記地ベラ本体の先端縁に開通していることを特徴とする請求項１０記載の地ベラ。
【発明の詳細な説明】
【技術分野】
【０００１】
本発明は、壁紙などのシート材（例えば、クロス材）を壁などに貼り付けて仕上げなどの施工を行う場合に、シート材の端部付近を壁の枠に沿って切断したり、壁の平場においてシート材の重なった部分を切断したりする場合に定規代わりに使用される地ベラに関する。
【背景技術】
【０００２】
従来の地ベラを使ったシート材の切断作業は、先端側から折り取れるカッター刃が装填されたカッターを用い、カッター刃の切れ味が落ちてきたらカッター刃を指で地ベラに押し当ててカッター刃の先端のみを折ってカッター刃片として除去して切れ味の確保を行っている。通常、折られたカッター刃片は各種工具を入れて腰に下げるいわゆる腰袋内に投入して溜めておくか、カッター刃をベルトに装着したカッター刃の先端のみを折るためのカッター刃折り器により折り取る方法も採用されている。
【０００３】
地ベラを使用して平場のシート材を切断する作業において、シート材の最終部分を切断しようとすると、手が床や天井にぶつかって最後まで一気に切断できない場合がある。このような場合には、カッターのカッター刃を一度シート材の切り口から外して未切断側の反対側からシート材を切断する方法が採用されている。
【特許文献１】実開平０６−０５９０９９号
【発明の開示】
【発明が解決しようとする課題】
【０００４】
しかしながら、従来の地ベラを使ったシート材の切断作業では、折り取られたカッター刃片の処理が不適切だとカッター刃片でけがをする場合がある。カッター刃片をカッター容器などに収納するという作業を確実に行おうとすると、カッター刃片の折り取り作業が頻繁に行われるゆえ、作業性の低下が避けられない。
【０００５】
平場のシート材の切断作業では、一度カッター刃をシート材の切り口から外してしまうので、未切断側の反対側からカッター刃を外したシート材の切り口のちょうどの位置まで切断しなければばらないが、カッターを外した時の切り口よりも多く切断したような場合において前の切り口とずれると、切り口が二重となってシート材間に隙間が開いてしまうという不良部が発生する。
【０００６】
地ベラは使用を継続すると、カッター刃の摺接により地ベラの先端縁部が摩耗して薄くなり定規としての機能を果たせなくなるが、一見しただけではどの程度摩耗したか直ちに分からなかった。
【０００７】
本発明は、かかる事情に鑑みてなされたもので、折り取ったカッター刃片の処理を安全にかつ作業性よく行うことができ、平場などでのシート材の切断において、カッター刃を外した切り口のちょうどの位置まで切断することができ不良部の発生が防止でき、地ベラの先端縁部の摩耗の程度を一見して目視により知ることができる地ベラを提供することを目的とする。
【課題を解決するための手段】
【０００８】
（１）本発明の請求項１記載の地ベラは、壁紙などのシート材を切断する際に定規代わりとする地ベラ本体と、当該地ベラ本体が取り付けられる取付部及び前記地ベラ本体を保持するために握る握り部を有する握り部本体とを備えた地ベラにおいて、少なくとも前記握り部を中空構造とするとともに、前記握り部の中空空間に連通し折り取ったカッター刃片を投入するスリット部を前記取付部付近に形成したことを特徴とする。
（２）本発明の請求項２記載の地ベラは、前記握り部には前記中空空間に連通する穴部が形成され、当該穴部には着脱自在に蓋部材が取り付けられていることを特徴とする。
（３）本発明の請求項３記載の地ベラは、前記スリット部の内側には、前記スリット部を通して前記中空空間内に投入されて貯留されたカッター刃片が前記中空空間内から前記スリット部を通って漏出することを防止する漏出防止手段が形成されていることを特徴とする。
（４）本発明の請求項４記載の地ベラは、前記漏出防止手段が、前記スリット部の開口をほぼ覆うように取り付けられた板状部材であることを特徴とする。
（５）本発明の請求項５記載の地ベラは、前記漏出防止手段が、前記スリット部の開口をそのブラシ部又は起毛部によりほぼ覆うように取り付けられたブラシ部材又は起毛部材であることを特徴とする。
（６）本発明の請求項６記載の地ベラは、前記漏出防止手段が、前記カッター刃片が前記中空空間側から前記スリット部に侵入し難くする突起であることを特徴とする。
（７）本発明の請求項７記載の地ベラは、前記漏出防止手段が、前記スリット部に連通しかつ前記カッター刃片が前記中空空間側から前記スリット部に侵入し難くする通路であることを特徴とする。
（８）本発明の請求項８記載の地ベラは、前記漏出防止手段が、ヒンジ結合され前記スリット部の開口をほぼ覆うように揺動付勢された付勢部材であることを特徴とする。
（９）本発明の請求項９記載の地ベラは、前記地ベラ本体の先端縁近傍に当該地ベラ本体の幅方向の所定位置を明示するマーク部が形成されていることを特徴とする。
（１０）本発明の請求項１０記載の地ベラは、前記マーク部が、前記地ベラ本体に刻印や切削などの方法により形成された細溝であることを特徴とする。
（１１）本発明の請求項１１記載の地ベラは、前記細溝が前記地ベラ本体の先端縁にまで達しておらず前記地ベラ本体の先端縁と細溝先端との間に若干の隙間が形成されていることを特徴とする。
（１２）本発明の請求項１２記載の地ベラは、前記細溝が前記地ベラ本体の先端縁にまで達して前記地ベラ本体の先端縁に開通していることを特徴とする。
【発明の効果】
【０００９】
（１）地ベラを用いてシート材を切断してカッター刃の切れ味が落ちた場合にはカッター刃の先端を折り取り、折り取られたカッター刃片をスリット部から中空空間内に投入して収納して貯留することができ、カッター刃片の処理を安全にかつ作業性よく行うことができ、中空空間の容積に相当する量のカッター刃片を貯留できる。
（２）中空空間に連通する穴部に取り付けられた蓋部材を取り外して、穴部から中空空間内に貯留されたカッター刃片を取り出して安全に廃棄することができる。
（３）漏出防止手段により、中空空間内に貯留されたカッター刃片がスリット部を通って逆流して排出されることが防止できる。
（４）スリット部内側に形成された板状部材によりカッター刃片がスリット部を通って逆流して排出されることが防止できる。
（５）スリット部内側に形成されたブラシ部材又は起毛部材によりカッター刃片がスリット部を通って逆流して排出されることが防止できる。
（６）スリット部内側に形成された突起によりカッター刃片がスリット部を通って逆流して排出されることが防止できる。
（７）スリット部内側に形成された通路によりカッター刃片がスリット部を通って逆流して排出されることが防止できる。
（８）スリット部内側に形成された付勢部材によりカッター刃片がスリット部を通って逆流して排出されることが防止できる。
（９）平場などにおいて地ベラ本体に形成された特定のマーク部の所まで切断してカッター刃を切り口から外し、未切断側の反対側からカッター刃によりシート材を切断して、前記特定のマーク部の所まで切断して止めることにより、切り口がずれたり切り過ぎて二重になってしまうことが防止できる。
（１０）地ベラ本体の先端縁が使用につれて摩耗して薄くなった場合において、細溝の深さ分だけ摩耗したときには、先端縁部付近の細溝が消えるので、地ベラ本体の先端縁が細溝の深さ分だけ摩耗したことが容易に目視により認識できる。
（１１）地ベラ本体の先端縁に細溝が貫通していないものでは、カッター刃を地ベラ本体の先端縁に沿わせてシート材を切断した際に、カッター刃が細溝に引っかかることがまったく無く円滑にカッターを移動させてシート材を切断することができる。
（１２）地ベラ本体の先端縁に細溝が開通したものでは、細溝の深さが相当浅ければ、カッター刃が細溝に引っかかることがほとんど無く、比較的円滑にカッター刃を移動させてシート材を切断することができる。
【発明を実施するための最良の形態】
【００１０】
以下に、図面を参照して本発明の実施の形態に係る地ベラについて説明する。
【００１１】
本発明の実施の一形態に係る地ベラ１は、図１及び図２に示すように、壁紙などのシート材を切断する際に定規代わりとする地ベラ本体２と、地ベラ本体２が取り付けられる取付部３ａ及び地ベラ本体２を保持するために握る握り部３ｅを有する握り部本体３とを備え、少なくとも握り部３ｅを中空構造とするとともに、握り部３ｅの中空空間３ｂに連通し折り取ったカッター刃片Ａを投入するスリット部３ｃを取付部３ａ付近に形成して概略構成される。
【００１２】
握り部本体３は２つ割になっており、これらの２つの部材には溝部３ｆが形成され、溝部３ｆ内に地ベラ本体２を挿入して挟み込み、ネジ５により締め付けることにより握り部本体３などと地ベラ本体２とを一体化している。このようにネジ５をゆるめて地ベラ本体２を取り去って他の地ベラ本体２に交換でき、例えば使用して摩耗した地ベラ本体２を新品の地ベラ本体２と交換できる。
【００１３】
本地ベラ１の握り部本体３の握り部３ｅには、中空空間３ｂに連通する穴部３ｄが形成され、穴部３ｄには着脱自在にゴムなどの弾性部材からなる円形の蓋部材４が取り付けられている。
【００１４】
なお、本実施の形態では、握り部３ｅの先端部の表側に１個の蓋部材４を設けるようにしているが、同様な蓋部材４を裏面の同様な位置に設けるようにしてもよい。また、本実施の形態では円形の蓋部材４を使用しているが楕円形のものや四角形のものなどに変更することができ、これにより、穴部の開口面積を大きくすることができ、中空空間３ｂ内に貯留されたカッター刃片Ａの排出を円滑に行うことができる。
【００１５】
本実施の形態では、ゴム製の蓋部材４を穴部３ｄにはめ込むようにしているが、握り部３ｅに蓋部材を案内するガイド溝を形成し、蓋部材をガイド溝で案内してスライドさせて握り部３ｅに着脱自在に装填して嵌合させる構造のものであってもよい。
【００１６】
本地ベラ１には、図１に示すように、地ベラ本体２の先端縁２ａの近傍に地ベラ本体２の幅方向の所定位置を明示するマーク部２ｂが複数個（図では３個）形成されている。マーク部２ｂは例えば５ｃｍ〜１５ｃｍの間隔を開けて形成される。間隔は同一間隔でなくともよい。マーク部２ｂは、好ましくは、地ベラ本体２に刻印や切削などの方法により形成された細溝であることが好ましいが、焼き付け塗装や印刷などの方法で形成してもよい。細溝の深さは例えば０．１ｍｍ〜０．５ｍｍ（好ましくは０．１ｍｍ〜０．３ｍｍ）の範囲で適宜選択される。図では地ベラ本体２の一面にのみマーク部２ｂを形成した例を示したが、地ベラ本体２の他の面にも同様なマーク部２ｂを設けるようにしてもよい。
【００１７】
マーク部２ｂとして刻印などにより形成された細溝を採用する場合には、図３及び図４に示すような２種類の態様が考えられる。図３に示すものは、細溝２ｃが地ベラ本体２の先端縁２ａにまで達しておらず地ベラ本体２の先端縁２ａと細溝先端２ｅとの間に若干の隙間２ｆが形成されたものである。このものは、細溝２ｃの深さが大きい場合に採用することが好ましい。なお、隙間２ｆは、例えば０．１ｍｍ〜１．０ｍｍ程度のものとされる。図４に示すものは、細溝２ｇが地ベラ本体２の先端縁２ａにまで達して地ベラ本体２の先端縁２ａに開通しているものである。このものは、細溝２ｇの深さが小さい場合に採用することが好ましい。
【００１８】
取付部３ａは、図１及び図６に示すように、地ベラ本体２が取り付けられる部分は、平板状の平板部３ｇと、この平板部３ｇと握り部３ｅとを連接し平板部３ｇから握り部３ｅに至るにつれて順次外側に膨らんで握り部３ｅに至る遷移部３ｈとを備えている。遷移部３ｈには一体成形や切削などにより遷移部３ｈから凹ませた凹部３ｊが形成され、図５に示すように、凹部３ｊを裏側まで貫通させることによりスリット部３ｃが形成されている。なお、凹部３ｊを裏側まで貫通させないで、別途トンネルを開通させてスリット部３ｃを開口させるようにしてもよい。
【００１９】
図５に示す取付部３ａは下に凸形状としたものであるが、図７及び図８に示すように、取付部３ａが上に凸形状としたものであっても、同様に凹部３ｊを形成することによりスリット部３ｃを形成すればよい。なお、図８に示すものは、握り部３ｅ側のスリット部３ｃの内側端部にカット面３ｋを形成し、スリット部３ｃの開口面積を増大させてカッター刃片Ａの投入を容易にしたものである。取付部３ａは下に凸形状としたものにおいて、図９に示すように、握り部３ｅ側のスリット部３ｃの外側端部にカット面３ｍを形成し、カッター刃片Ａの投入時に投入を容易にしたり投入時の指当たりをソフトにしたりしてもよい。
【００２０】
本地ベラ１のスリット部３ｃの内側には、中空空間３ｂ内に投入されたカッター刃片Ａが中空空間３ｂ内からスリット部３ｃを通って漏出することを防止する漏出防止手段が形成されている。
【００２１】
漏出防止手段の一例としては、図１０に示すように、スリット部３ｃの開口をほぼ覆うように取り付けられた板状部材６であってもよい。板状部材６は、弾性変形可能な薄い金属板やプラスチック板やゴム板などが使用され、一端がスリット部３ｃの内側に糊付け又はネジ止めなどの方法により固定されて片持ち支持されている。
【００２２】
漏出防止手段の他の例としては、図１１に示すように、スリット部３ｃの開口をそのブラシ部７ａによりほぼ覆うように取り付けられたブラシ部材７であってもよい。ブラシ部材７は、基端部７ｂにブラシ部７ａを植毛したもので、基端部７ｂをスリット部３ｃの内側に糊付け又はネジ止めなどの方法により固定して片持ち支持されている。ブラシ部７の代わりにブラシのように長めに起毛された起毛部を設けた起毛部材であってもよい。
【００２３】
ブラシ部材を用いた漏出防止手段の他の例としては、図１２に示すように、基端部８ｂにブラシ部８ａが植毛されたブラシ部材８を、スリット部３ｃの内側にブラシ部８ａが握り部３ｅとほぼ直交するように糊付けなどの方法で固定したものでもよい。ブラシ部８ａは中空空間３ｂ内に貯留されたカッター刃片Ａがスリット部３ｃに侵入し難くするいわゆる障壁（バリア）として作用する。
【００２４】
漏出防止手段の他の例としては、図１３に示すように、カッター刃片Ａがスリット部３ｃに中空空間３ｂ側から侵入し難くする突起９ａ，９ｂであってもよい。突起９ａ，９ｂはスリット部３ｃを挟んで握り部３ｅと取付部３ａに取り付けられ、突起９ｂはスリット部３ｃの縁部から間隔９ｃだけ離されて配置されている。この間隔部分にカッター刃片Ａが入り込むことなどにより、カッター刃片Ａがスリット部３ｃを通って逆流することが防止される。さらに、突起９ａ，９ｂの間隔や形状はカッター刃片Ａがスリット部３ｃに入り込み難くなるように設定されている。
【００２５】
漏出防止手段の他の例としては、図１４に示すように、スリット部３ｃに連通しかつカッター刃片Ａが中空空間３ｂ側から侵入し難くする通路１０であってもよい。通路１０は、スリット部３ｃの内側に形成された突起やリブなど１０ａ，１０ｂにより形成してあり、通路１０の出口１０ｃは入り口よりもカッター刃片Ａが入り込み難くなるように開口寸法が小さく設定されている。
【００２６】
漏出防止手段の他の例としては、図１５に示すように、ヒンジ結合されスリット部３ｃの開口をほぼ覆うように揺動付勢された付勢部材であってもよい。付勢部材１１はヒンジ部１１ａにより揺動自在に取り付けられ、ヒンジ部１１ａには付勢用のバネ（図示せず）が装填されて付勢部材１１がスリット部３ｃを覆う方向に揺動付勢されている。
【００２７】
次に、本実施の一形態に係る地ベラ１の使用方法及び作用について説明する。
【００２８】
片手で地ベラ１の握り部３ｅを握って地ベラ本体２の先端縁２ａを壁の枠にあてがったり若しくは平場においてシート材の重合部にあてがったりするとともに、他方の手にカッターを握り、地ベラ１の地ベラ本体２の先端縁２ａを定規代わりにして、先端縁２ａに沿ってカッター刃を切り下ろしてシート材を切断する。そして、カッター刃の刃先をシート材に差し込んだ状態で地ベラ１を未切断側にずらして再びシート材の続きを切断する。このような作業を続けることによりシート材を例えば壁の高さ全体に亘って切り取る。
【００２９】
シート材の最終部分を切断する際に、手が床や天井などに干渉してしまう場合には、最終部分の切断ができない。このようなときは、カッター刃をシート材から抜き取り、最終部分側（今までの切断方向とは反対方向）からシート材を切断する。この際、直前に切断した位置の切り口を超えて切断してしまうと切り口がずれたり二重になったりして不良部になるおそれがある。
【００３０】
本実施の形態に係る地ベラ１では、地ベラ本体２の先端縁２ａに近接して又は貫通してマーク部２ｂ（例えば、細溝２ｃ，２ｇ）が形成されているので、手が床などに干渉しそうになった場合において、いずれかのマーク部２ｂのところで切断を停止して、カッター刃を切り口から抜き取り、シート材を最終部分側からカッター刃により切断する際に、直前で切断を停止したマーク部２ｂの所まで切断して切断を停止する。この結果、ちょうどカッター刃を抜いた位置の切り口まで切断することができ、切り口のずれや二重切断などが生ずることが無く、不良部の発生が防げる。
【００３１】
シート材の切断を繰り返すと、カッターの切り味が直ぐに落ちてしまうので、カッター刃の先端を地ベラ１の取付部３ａなどに押し当ててカッター刃の先端を頻繁に折り取り、カッターの切り味の回復を図る。折り取ったカッター刃片Ａは角部が尖っており安全上適切に処理する必要があるが、従来は腰袋に投入するなどの方法で処理していたが、安全性、作業性などの面で不便な点が多かった。
【００３２】
本実施の形態に係る地ベラ１では、中空空間３ｂが形成された握り部３ｅの近傍に中空空間３ｂに連通するスリット部３ｃが形成されているので、地ベラ１の取付部３ａなどで折り取ったカッター刃片Ａを取付部３ａの面を滑らせてスリット部３ｃから中空空間３ｂ内に投入して貯留でき、中空空間の容積に相当する多量のカッター刃片を貯留できる。カッター刃片Ａをいちいち腰袋に投入する手間も必要とせず、カッター刃片Ａは中空空間３ｂに貯留されていて人の手には触れないので安全である。
【００３３】
地ベラ１の使用状況に応じて地ベラ１を反転などした場合に、中空空間３ｂ内に貯留されたカッター刃片Ａがスリット部３ｃから外に出てしまうおそれがあるが、本実施の形態に係る地ベラ１では、漏出防止手段がスリット部３ｃの内部に形成されているので、カッター刃片Ａがスリット部３ｃから漏出してしまうことを有効に抑制できる。
【００３４】
中空空間３ｂ内にある程度の量のカッター刃片Ａが溜まったら、中空空間３ｂに連通する穴部３ｄに取り付けられた蓋部材４を取り外して、穴部３ｄから中空空間３ｂ内に貯留されたカッター刃片Ａを取り出し安全を考慮して廃棄する。
【００３５】
握り部３ｅにゴムなどからなる蓋部材４が取り付けられているので、蓋部材４が握り部３ｅを握った際の手がかりとなり、地ベラ１を安定して手で保持して作業を行うことができ、作業性が向上することも期待できる。手がかりとするのであれば、握り部３ｅの表裏に蓋部材４を設けることが好ましい。
【００３６】
地ベラ本体２の先端縁２ａはカッター刃が摺接するので、使用につれて摩耗して板厚が減少して所望の性能を損ない使用に耐えられなくなるが、一見しただけではどの程度摩耗したか分からない。摩耗していることを知らずに使用してしまうと不良部を形成してしまうことがある。マーク部２ｂとして細溝２ｃ，２ｇを採用したものでは、摩耗により地ベラ本体２の板厚が細溝の深さ分だけ減少した場合に細溝２ｃ，２ｇが先端縁２ａ側で消えるので、細溝の深さ分だけ摩耗したことを目視で知ることができる。
【００３７】
マーク部２ｂとして細溝２ｃ，２ｇを採用した場合において、地ベラ本体２の先端縁２ａに細溝２ｃが貫通していないものでは、カッター刃を沿わせてシート材を切断した際に、カッター刃が細溝２ｃに引っかかることがまったく無く円滑にカッターを移動させることができる。一方、地ベラ本体２の先端縁２ａに細溝２ｇが開通しているものでも、細溝２ｇの深さが浅ければ、カッター刃の引っかかりはほとんど無く、比較的円滑にカッター刃を移動させることができる。
【００３８】
なお、上述の実施の形態に係る地ベラ１では、握り部本体３に装着する地ベラ本体２の厚さが１種類のものを例示したが、握り部本体３に形成された溝部３ｆを各種の厚さの地ベラ本体２を収納できる寸法に形成し、一つの握り部本体３を用いて異なる厚さの地ベラ本体２に交換できるようにしてもよい。この場合、握り部本体３の溝部３ｆに地ベラ本体２を挿入した際に形成される隙間にシムやスペーサーなどの隙間調整部材を介挿してからネジ５により締め付けることが好ましい。
【００３９】
上述の実施の形態に係る地ベラ１では、スリット部３ｃを地ベラ本体２の先端縁２ａとほぼ平行になるように形成しているが、地ベラ本体２の先端縁２ａに対して斜めになるように配置してもよい。これにより、カッター刃片Ａの投入がし易くなるという効果が期待できる。
【００４０】
スリット部３ｃを握り部３ｅ及び取付部３ａを有する握り部本体３に一体的に形成するようにしているが、スリット部が形成された別部品を用意し、握り部本体３に開口して形成された装填部に一体的又は着脱自在に取り付けるようにしてもよい。
【００４１】
この別部品を金属などの剛性の高い材料で製造するとともにスリット部の形状をカッター刃の先端を差し込んで折り取るのに適した形状・構造とすれば、カッター刃を指で折り取る代わりに別部品に形成されたスリット部にカッター刃の先端を挿入して先端を折り取ることができる。
【００４２】
通常指でカッター刃の先端を取付部３ａにおいて折り取るようにしているが、別部品をこの折り取る部分まで延長した形状とすれば、別部品の当該箇所でカッター刃の先端を指で折ることができ、別部品が耐摩耗性を有する材料で製造してあれば、カッター刃の先端を折り取る際の当該部分の摩耗を防止できる。
【図面の簡単な説明】
【００４３】
【図１】本発明の実施の一形態に係る地ベラを示す正面図である。
【図２】本発明の実施の一形態に係る地ベラを示す断面図である。
【図３】本発明の実施の一形態に係る地ベラの地ベラ本体の先端縁付近を示す拡大図である。
【図４】本発明の実施の一形態に係る地ベラの地ベラ本体の先端縁付近を示す拡大図である。
【図５】本発明の実施の一形態に係る地ベラのスリット部付近を示す拡大断面図である。
【図６】本発明の実施の一形態に係る地ベラのスリット部付近を示す拡大斜視図である。
【図７】本発明の実施の他の形態に係る地ベラのスリット部付近を示す拡大断面図である。
【図８】本発明の実施の更に他の形態に係る地ベラのスリット部付近を示す拡大断面図である。
【図９】本発明の実施の更に他の形態に係る地ベラのスリット部付近を示す拡大断面図である。
【図１０】本発明の実施の更に他の形態に係る地ベラのスリット部付近を示す拡大断面図である。
【図１１】本発明の実施の更に他の形態に係る地ベラのスリット部付近を示す拡大断面図である。
【図１２】本発明の実施の更に他の形態に係る地ベラのスリット部付近を示す拡大断面図である。
【図１３】本発明の実施の更に他の形態に係る地ベラのスリット部付近を示す拡大断面図である。
【図１４】本発明の実施の更に他の形態に係る地ベラのスリット部付近を示す拡大断面図である。
【図１５】本発明の実施の更に他の形態に係る地ベラのスリット部付近を示す拡大断面図である。
【符号の説明】
【００４４】
１    地ベラ
２    地ベラ本体
２ａ  先端縁
２ｂ  マーク部
２ｃ  細溝
２ｅ  細溝先端
２ｆ  隙間
２ｇ  細溝
３    握り部本体
３ａ  取付部
３ｂ  中空空間
３ｃ  スリット部
３ｄ  穴部
３ｅ  握り部
３ｇ  平板部
３ｈ  遷移部
３ｊ  凹部
４    蓋部材
５    ネジ
６    板状部材（漏出防止手段）
７    ブラシ部材（漏出防止手段）
７ａ  ブラシ部
８    ブラシ部材（漏出防止手段）
８ａ  ブラシ部
９ａ，９ｂ  突起（漏出防止手段）
１０    通路（漏出防止手段）
１１    付勢部材（漏出防止手段）
Ａ    カッター刃片
【図１】
2008063893.tif 000003
【図２】
2008063893.tif 000004
【図３】
2008063893.tif 000005
【図４】
2008063893.tif 000006
【図５】
2008063893.tif 000007
【図６】
2008063893.tif 000008
【図７】
2008063893.tif 000009
【図８】
2008063893.tif 000010
【図９】
2008063893.tif 000011
【図１０】
2008063893.tif 000012
【図１１】
2008063893.tif 000013
【図１２】
2008063893.tif 000014
【図１３】
2008063893.tif 000015
【図１４】
2008063893.tif 000016
【図１５】
2008063893.tif 000017